(57)【要約】【課題】外部電源から電子装置への電源供給経路に設けられる電気接続部の接続を切り離す操作がなされたときに、予め定められた電源の遮断に伴う所定の処理を行うことができる電子装置を提供する。【解決手段】ＡＣアダプタのプラグ１０が印字装置のジャック２０に挿入されると、プラグ１０の正電極１３がジャック２０の第１及び第２の接続端子２３，２４に接続され、プラグ１０の負電極１４がジャック２０の第３の接続端子２５に接続されることによって印字装置にＤＣ電源が供給される。第２の接続端子２４に印加される電圧はＡＤコンバータ３６を介してＣＰＵ３０に取り込まれて常に監視されている。プラグ１０が引き抜かれると、その初期段階で、第２の接続端子２４と正電極１３が非接続となり、その状態が検知されると、プラグ１０がジャック２０から引き抜かれる間に供給されるＤＣ電源によってＣＰＵ３０が駆動されてＲＡＭ３２に格納されたデータがフラッシュメモリ３３に書き込まれる。【選択図】      図３
2008253028.tif 000002
【特許請求の範囲】
【請求項１】
接続部と被接続部が挿抜可能な接続構造を有する電気接続部が外部電源からの電源供給経路に設けられ、前記電気接続部を介して前記外部電源からの電源の供給を受けて動作する電子装置において、
該電子装置が前記外部電源から電源の供給を受けて動作している間に、前記電気接続部の接続を切り離す操作の開始を検知する検知手段と、
前記検知手段によって前記電気接続部の接続を切り離す操作の開始が検知されてから前記電気接続部の接続の切り離しが完了するまでの間に、前記電気接続部を介して前記外部電源から供給される電源に基づいて動作し、該電子装置において予め定められた電源の遮断に伴う所定の処理を行う制御手段と、
を備えることを特徴とする電子装置。
【請求項２】
前記電気接続部は、前記外部電源側に設けられる接続部と、前記電子装置側に設けられ前記接続部が挿抜可能な被接続部との組合せで構成されており、
前記検知手段は、前記被接続部に設けられ、前記接続部が引き抜き方向に移動した直後に前記接続部との電気接続が絶たれる接続端子と、この接続端子の電圧を計測する計測回路とで構成されていることを特徴とする請求項１に記載の電子装置。
【請求項３】
前記電気接続部は、前記外部電源側に設けられる接続部と、前記電子装置側に設けられ前記接続部が挿抜可能な被接続部との組合せで構成されており、
前記検知手段は、前記被接続部に設けられ、前記被接続部に差し込まれた前記接続部によって加圧される圧力センサによって構成されていることを特徴とする請求項１に記載の電子装置。
【請求項４】
前記接続部又は前記被接続部は、前記接続部の前記被接続部からの引き抜きに対して抵抗力を付与する抵抗力付与手段を備えて構成されていることを特徴とする請求項１ないし３のいずれかに記載の電子装置。
【請求項５】
前記制御手段は、前記所定の処理として、前記外部電源から電源の供給を受けて動作している間に揮発性の記憶手段に格納されたデータを不揮発性の記憶手段に保存する処理を行うことを特徴とする請求項１ないし４のいずれかに記載の電子装置。
【発明の詳細な説明】
【技術分野】
【０００１】
本発明は、外部電源からの電源供給経路に設けられる電気接続部を介して外部電源からの電源の供給を受けて動作する電子装置に関し、特に、接続部と被接続部が挿抜可能な接続構造を有する電気接続部の接続が外されて外部電源の供給が断たれたときに所定の処理を行う電子装置に関する。
【背景技術】
【０００２】
特許文献１（特開平５−１４３４６９号公報）には、主電源の停電時に揮発性メモリを補助電源でバックアップしてデータを退避させるメモリバックアップ装置が開示されている。すなわち、この装置は、制御手段と、主電源が遮断されると補助電源でバックアップされる揮発性メモリと、補助電源でバックアップされない揮発性メモリと、主電源の停電を検知する検知手段と、この検知手段からの検知信号によりバックアップされる揮発性メモリの電源を主電源から補助電源に切り替えると共にバックアップされない揮発性メモリ及び前記制御手段の電源を主電源から補助電源に切替える切替手段とを備え、前記制御手段が、前記切替手段によって電源の切替が行われるとバックアップされない揮発性メモリのデータをバックアップされる揮発性メモリに退避させるようにしたものである。
【０００３】
また、従来から電子装置の電源オフ時にバックアップの必要のない不揮発性メモリにデータを格納して終了することも行われている。例えば、文字を入力して文書を作成しその文書を印字テープに印字する印字装置などの電子装置では、所要の制御機能を実行するために揮発性メモリに編集中のデータや種々の設定データを格納すると共に、装置の電源をオフしたときに、その揮発性メモリに格納したデータをフラッシュメモリなどの不揮発性メモリに格納して正常終了することが行われる。そして、装置の電源がオンされると、不揮発性メモリに格納されたデータを揮発性メモリに移動し、そのデータを表示部に表示したり、設定データに基づいて所定の設定などを行う。この電子装置では、主電源からの電源供給を受けて制御部や各部が動作し、また不揮発性メモリにデータを格納するため、補助電源は所持せず、主電源からだけ電源の供給を受けている。
【特許文献１】特開平５−１４３４６９号公報
【発明の開示】
【発明が解決しようとする課題】
【０００４】
前記特許文献１のメモリバックアップ装置においては、補助電源の電池の思いがけない取外しなどでメモリデータが破壊される危険があるものの、主電源のＡＣアダプタが引き抜かれるなどすると、電源遮断が検知され補助電源からのバックアップを受けるため、メモリのデータを保護することができる。しかし、前記印字装置の場合には、補助電源を備えていないため、主電源のＡＣアダプタのプラグが引き抜かれたりすると、不揮発性メモリに格納されている編集中のデータが失われてしまうことになる。
【０００５】
本発明は、接続部と被接続部が挿抜可能な接続構造を有する電気接続部が外部電源からの電源供給経路に設けられ、その電気接続部を介して外部電源からの電源の供給を受けて動作する電子装置において、前記電気接続部の接続部の接続を切り離す操作がなされることがあっても、予め定められた電源の遮断に伴う所定の処理を行うことにより、前記問題点を解決することができる電子装置を提供することを目的とする。
【課題を解決するための手段】
【０００６】
請求項１の発明は、接続部と被接続部が挿抜可能な接続構造を有する電気接続部が外部電源からの電源供給経路に設けられ、前記電気接続部を介して前記外部電源からの電源の供給を受けて動作する電子装置において、該電子装置が前記外部電源から電源の供給を受けて動作している間に、前記電気接続部の接続を切り離す操作の開始を検知する検知手段と、前記検知手段によって前記電気接続部の接続を切り離す操作の開始が検知されてから前記電気接続部の接続の切り離しが完了するまでの間に、前記電気接続部を介して前記外部電源から供給される電源に基づいて動作し、該電子装置において予め定められた電源の遮断に伴う所定の処理を行う制御手段とを備えることを特徴としている。
【０００７】
請求項２の発明は、請求項１の発明において、前記電気接続部は、前記外部電源側に設けられる接続部と、前記電子装置側に設けられ前記接続部が挿抜可能な被接続部との組合せで構成されており、前記検知手段は、前記被接続部に設けられ、前記接続部が引き抜き方向に移動した直後に前記接続部との電気接続が絶たれる接続端子と、この接続端子の電圧を計測する計測回路とで構成されていることを特徴としている。
【０００８】
請求項３の発明は、請求項１の発明において、前記電気接続部は、前記外部電源側に設けられる接続部と、前記電子装置側に設けられ前記接続部が挿抜可能な被接続部との組合せで構成されており、前記検知手段は、前記被接続部に設けられ、前記被接続部に差し込まれた前記接続部によって加圧される圧力センサによって構成されていることを特徴としている。
【０００９】
請求項４の発明は、請求項１ないし３の発明において、前記接続部又は前記被接続部は、前記接続部の前記被接続部からの引き抜きに対して抵抗力を付与する抵抗力付与手段を備えて構成されていることを特徴としている。
【００１０】
請求項５の発明は、請求項１ないし４の発明において、前記制御手段は、前記所定の処理として、前記外部電源から電源の供給を受けて動作している間に揮発性の記憶手段に格納されたデータを不揮発性の記憶手段に保存する処理を行うことを特徴としている。
【発明の効果】
【００１１】
本発明によれば、外部電源から電源の供給を受けて動作している間に、電気接続部の接続を切り離す操作の開始を検知し、その検知から電気接続部の接続の切り離しが完了するまでの間に、電気接続部を介して外部電源から供給される電源に基づいて、例えば、揮発性の記憶手段に記憶された情報を不揮発性の記憶手段に書き込んで揮発性の記憶手段の記憶内容の保護を行うなど、予め定められた電源の遮断に伴う所定の処理を行うことができる。
【発明を実施するための最良の形態】
【００１２】
以下、本発明の実施形態について図面を参照して説明する。図１は本発明の一実施形態に係る電子装置の説明図である。この電子装置は、印字テープに印字を行う印字装置であり、図１に図示のように、印字装置１は、装置本体２の上面に印字テープに印字するための文字データを入力する入力部３を備えるとともに、入力された文字や種々のメッセージなどを表示する表示部４を備えている。また、装置本体２の内部には印字テープに印字を行うプリンタ部を備えるとともに、装置各部の動作を制御する制御部やデータを記憶する記憶装置などの電子回路が設けられている。
【００１３】
図１において、符号５は外部電源装置としてのＡＣアダプタである。このＡＣアダプタ５は、交流電源を直流電源に変換して印字装置１に電源供給を行うものであり、アダプタ本体６に設けたＡＣプラグ７を図外の電源コンセントに装着する一方、アダプタ本体６から導出されるＤＣコード８の端部に設けたＤＣプラグ１０が印字装置１に設けられたジャック２０に挿入される。この印字装置１は、外部電源装置としてのＡＣアダプタ５から前記プリンタ部や電子回路に駆動電源が供給されるように構成されており、装置本体２の内部には電池などによる内部電源は備えておらず、また装置内部の記憶装置のバックアップ用の電池電源も備えていない。
【００１４】
図２は、ＡＣアダプタ５のＤＣプラグ１０（以下、単にプラグという）と印字装置１の装置本体２に設けられたジャック２０とを示している。この接続部としてのプラグ１０と被接続部としてのジャック２０は、互いに挿抜可能な接続構造を有しており、ＡＣアダプタ５からの電源供給経路に設けられる電気接続部を構成している。
【００１５】
ＡＣアダプタ５のプラグ１０は、絶縁材からなるプラグ本体１１の先端部に円筒絶縁体１２を備え、その円筒絶縁体１２の外周に導電材からなる円筒形状の正（＋）電極１３が配設され、円筒絶縁体１２の内周に導電材からなる円筒形状の負（−）電極１４が配設されている。
【００１６】
一方、ジャック２０は印字装置１の装置本体２の側部に取り付けられている。このジャック２０は絶縁材からなるハウジング２１を備え、このハウジング２１の内部にはその軸方向に延びるプラグ挿入孔２２が形成されている。このプラグ挿入孔２２の内壁には、プラグ挿入孔２２の入口から奥に向かって導電材からなる円筒形状の第１の接続端子２３が配設され、プラグ挿入孔２２の内底部の周縁には、リング状の導電材からなる第２の接続端子２４が配設されている。また、プラグ挿入孔２２の内底部の中心部からプラグ挿入孔２２の中央部に向けて丸棒状の導電材からなる第３の接続端子２５が配設されている。前記プラグ１０がプラグ挿入孔２２に挿入されると、プラグ１０の正電極１３がジャック２０の第１の接続端子２３及び第２の接続端子２４に接続され、プラグ１０の負電極１４がジャック２０の第３の接続端子２５に接続されるようになっている。２６、２７、２８は第１ないし第３の接続端子２３、２４、２５に電気的に導通する接続片であり、各接続端子２３、２４、２５と電子回路との接続に用いられるものである。
【００１７】
図３は印字装置１の電子回路のブロック図を示している。この印字装置１は、印字装置１の全体の種々の動作を制御するＣＰＵ（制御部）３０を備えており、このＣＰＵ３０には、ＲＯＭ３１、ＲＡＭ３２、フラッシュメモリ３３などの記憶装置が接続されるとともに、前記入力部３、表示部４及びプリンタ部３４が接続されている。また、前記ジャック２０に設けられた第１の接続端子２３と第３の接続端子２５とが電源供給回路３５に接続されてＡＣアダプタ５からのＤＣ電源がこの電源供給回路３５に供給され、この電源供給回路３５から印字装置１の電子回路の各部に駆動電圧が供給される。また、前記ジャック２０に設けられた第２の接続端子２４と第３の接続端子２５とがＡＤコンバータ３６に接続され、このＡＤコンバータ３６によって第２の接続端子２４と第３の接続端子２５との間に発生する電圧値がデジタルデータに変換されてＣＰＵ３０に出力されるようになっている。
【００１８】
前記ＲＯＭ３１には、印字装置１の動作に係るプログラムが格納されている。また、前記ＲＡＭ３２には、入力部３から入力された文字データが格納されるとともに、プリンタ部３４で印字する文字の印字パターンデータや表示部４に表示する文字の表示パターンデータが格納される。また、前記フラッシュメモリ３３には、入力部３からの文字入力により作成した文書データなどが登録されて保存記憶されるとともに、印字装置１の動作が終了する時にＲＡＭ３２に格納されている入力途中の編集中の文書のデータなどが格納される。この印字装置１では、記憶装置のバックアップ用の電源を具備していない。そのため、揮発性メモリであるＲＡＭ３２の記憶内容を保持するために、印字装置１の動作終了時にＲＡＭ３２の記憶内容を不揮発性メモリであるフラッシュメモリ３３に移動する。そして、印字装置１の次の動作開始時にフラッシュメモリ３３からＲＡＭ３２にデータを移動するようにしている。
【００１９】
この印字装置１では、入力部３の電源オフキーの操作により正常な終了処理が行なわれる。この正常終了処理では、ＲＡＭ３２の記憶内容を不揮発性メモリであるフラッシュメモリ３３に移動するものであるが、印字装置１の動作中に思いもよらずにプラグ１０をジャック２０から引き抜いて電源の供給を遮断してしまうことがある。あるいは不用意に電源オフキーの操作と同時にプラグ１０をジャック２０から引き抜いてしまうことがある。内部電源を持たず電源の供給を外部電源だけに依存している装置では、電源供給が遮断されると正常な終了処理を行うことができず、例えば、編集中の文書が消失してしまう不都合がある。本発明では、このような不都合を解消するものであり、異常終了時であっても所定の終了処理を行うことを特徴としている。
【００２０】
図４（ａ）はジャック２０にプラグ１０が挿入された状態を示し、図４（ｂ）はジャック２０からプラグ１０が引き抜かれる初期の状態を示している。図４（ａ）の状態は、ＡＣアダプタ５のプラグ１０の正電極１３及び負電極１４がジャック２０の第１の接続端子２３及び第３の接続端子２５と接続されているため、ＡＣアダプタ５からプラグ１０及びジャック２０の電気接続部を介して印字装置１にＤＣ電源が供給されている。また、ＡＣアダプタ５のプラグ１０の正電極１３がジャック２０の第２の接続端子２４と接続されているため、図３に示すＡＤコンバータ３６にはプラグ１０の正電極１３と負電極１４の電圧が入力され、その電圧値がＡＤコンバータ３６によってデジタルデータに変換されてＣＰＵ３０に出力されている。  
ところが、ジャック２０からプラグ１０が引き抜かれる初期、つまり第２の接続端子２４と正電極１３との接続の切り離しが開始した直後の状態を示す図４（ｂ）では、プラグ１０の正電極１３及び負電極１４がジャック２０の第１の接続端子２３及び第３の接続端子２５と接続されており、印字装置１にＤＣ電源が供給されているが、プラグ１０の正電極１３がジャック２０の第２の接続端子２４と非接続の状態にあるため、ＡＤコンバータ３６からＣＰＵ３０への出力がなくなる。このように、ジャック２０に第２の接続端子２４を設け、そこに印加される電圧を監視することによってプラグ１０がジャック２０から引き抜かれる初期に、プラグ１０の引き抜き操作を検出できるようにしている。図４（ｂ）はジャック２０からプラグ１０が引き抜かれる初期の状態を示しており、その後にプラグ１０がジャック２０から抜け出すが、プラグ１０がジャック２０から抜け出すまでの間はプラグ１０の正電極１３及び負電極１４がジャック２０の第１の接続端子２３及び第３の接続端子２５と接続されているため、印字装置１のＣＰＵ３０への駆動電源の供給が可能な状態にある。本発明は、プラグ１０の引き抜きを検出してから電源の供給が断たれる間にＣＰＵ３０によって所定の終了処理を行うものである。
【００２１】
図５はＣＰＵ３０によって行われる異常終了時の処理のフローチャートを示している。印字装置１の電源投入とともに図５の処理が開始される。ＣＰＵ３０はＡＤコンバータ３６の出力を取り込む（ステップＳ１）。次に、ＡＤコンバータ３６の出力の電圧値があるかを判断し（ステップＳ２）、出力の電圧値があれば（ステップＳ２のＹＥＳ）、ステップＳ１に戻ってＡＤコンバータ３６の出力の取り込みと出力電圧の判断を繰り返す。このようにして、ＡＤコンバータ３６の出力電圧を監視しているときに、プラグ１０が引き抜かれると、ＡＤコンバータ３６からの出力がなくなるため、出力の電圧値なしの判断を行い（ステップＳ２のＮＯ）、そこでＲＡＭ３２のデータをフラッシュメモリ３３に書き込む処理を行う（ステップＳ３）。
【００２２】
この実施形態によれば、ジャック２０にプラグ１０の引抜き検出用の第２の接続端子２４を設け、その第２の接続端子２４に印加される電圧を常時計測してプラグ１０の引抜きを監視するため、初期段階でプラグ１０の引抜きの検知を行うことができ、プラグ１０がジャック２０から抜け終わるまでの間にＡＣアダプタ５から供給される電源によってＣＰＵ３０を動作させ、ＲＡＭ３２に格納されたデータをフラッシュメモリ３３に書き込む処理を行うことによってＲＡＭ３２に格納されたデータを保護することができる。
【００２３】
図６は他の電気接続部の例を示している。この例では、プラグ１０の正電極１３に凸部１３ａを設ける一方、ジャック２０には、第１の接続端子２３にプラグ挿入孔２２内に向けて付勢する弾性接続片２３ａを設けて、この弾性接続片２３ａをプラグ１０の前記正電極１３の凸部１３ａに弾性的に接触させるようにしたものである。このような構造を採用することによって前記凸部１３ａと前記弾性接続片２３ａがプラグ１０の引き抜きに対して抵抗力を付与し、プラグ１０の引き抜き開始から完了までの時間をより長くしてＣＰＵ３０の終了処理時間をより多く確保することができる。
【００２４】
図７は更に異なる他の電気接続部の例を示している。この例では、ジャック２０に設ける第２の接続端子２４の代わりに圧力センサ４０をハウジング２１のプラグ挿入孔２２の内底部分に設けたものである。ジャック２０にプラグ１０が挿入されると、そのプラグ１０の正電極１３、負電極１４の双方あるいはそのいずれか一方が圧力センサ４０に当接し、この当接で圧力センサ４０が加圧されて所定の圧力を検出し、プラグ１０が引き抜かれた時のその引き抜きの開始とともに圧力センサ４０への加圧力がなくなるため、この圧力センサ４０への加圧力の変化に基づいて、プラグ１０の引き抜きの検知が可能になる。
【図面の簡単な説明】
【００２５】
【図１】本発明の一実施形態に係る電子装置（印字装置）及び外部電源装置の斜視図。
【図２】その印字装置及び外部電源装置の電気接続部の断面図。
【図３】その電子装置の電子回路のブロック図。
【図４】その印字装置及び外部電源装置の電気接続部の断面図。
【図５】その印字装置の異常終了処理のフローチャート。
【図６】印字装置及び外部電源装置の電気接続部の他例の断面図。
【図７】印字装置及び外部電源装置の電気接続部の更に他例の断面図。
【符号の説明】
【００２６】
１…電子装置（印字装置）  ２…装置本体  ３…入力部  ４…表示部
５…ＡＣアダプタ（外部電源装置）  １０…プラグ（接続部）  １３…正電極
１４…負電極  ２０…ジャック（被接続部）  ２３…第１の接続端子
２４…第２の接続端子  ２５…第３の接続端子  ３０…ＣＰＵ  ３１…ＲＯＭ
３２…ＲＡＭ  ３３…フラッシュメモリ  ３４…プリンタ部  ３５…電源供給回路
３６…ＡＤコンバータ  ４０…圧力センサ
【図１】
2008253028.tif 000003
【図２】
2008253028.tif 000004
【図３】
2008253028.tif 000005
【図４】
2008253028.tif 000006
【図５】
2008253028.tif 000007
【図６】
2008253028.tif 000008
【図７】
2008253028.tif 000009